(57)【要約】【課題】  じゃがいも（皮付）をポテト投入筒へ投入するのみで、スライス・揚げ・搬送を自動的に行ない、アツアツをその場でお客様に提供できるポテトチップ用自動フライヤーを提供する。【解決手段】  フライヤー本体の上部一側方に、ポテト投入筒を設けたスライサーを設け、該スライサーの少なくとも後方に回転羽根用モーターにて回転する回転羽根を設けると共に、上部他側方に押えコンベアーモーターにて回転する押えコンベアーを設け、該押えコンベアーと連設する搬送コンベアーモーターにて回動する搬送コンベアーを設け、上記スライサーの下方にヒーターを設け、該ヒーターの下方に底面を有するオイルパンを設けてなることを特徴とする。【選択図】  図１
2006311996.tif 000002
【特許請求の範囲】
【請求項１】
フライヤー本体の上部一側方に、ポテト投入筒を設けたスライサーを設け、該スライサーの少なくとも後方に回転羽根用モーターにて回転する回転羽根を設けると共に、上部他側方に押えコンベアーモーターにて回転する押えコンベアーを設け、該押えコンベアーと連設する搬送コンベアーモーターにて回動する搬送コンベアーを設け、上記スライサーの下方にヒーターを設け、該ヒーターの下方に底面を有するオイルパンを設けてなることを特徴とするポテトチップ用自動フライヤー。
【請求項２】
スライサーと押えコンベアーの間に、回転羽根を設けてなることを特徴とする請求項１記載のポテトチップ用自動フライヤー。
【請求項３】
押えコンベアーの先端部と搬送コンベアーの後端部を上下方向にて適宜重合してなることを特徴とする請求項１又は２記載のポテトチップ用自動フライヤー。
【請求項４】
フライヤー本体の下面に、移動可能な脚部を設けてなることを特徴とする請求項１、２又は３記載のポテトチップ用自動フライヤー。
【請求項５】
油面が、押えコンベアー及び回転羽根の下部に当たる位置になるよう設定してなることを特徴とする請求項１、２、３又は４記載のポテトチップ用自動フライヤー。
【発明の詳細な説明】
【技術分野】
【０００１】  本発明は、じゃがいものスライスから揚げる工程までを自動で行い、お客様の希望の味付を目の前で行なって販売するエンターテイメント性を取り入れたポテトチップ用自動フライヤーに関するものである。
【背景技術】
【０００２】  従来技術としては、じゃがいもを所定の厚さにスライスしてポテトスライスを形成し、これを乾燥して含水率を５〜２０％とする第１の工程と、前記第１の工程で得られた固くなったポテトスライスを水に浸して柔軟にする第２の工程と、前記第２の工程により浸漬処理されたポテトスライスを食用油で揚げる第３の工程とからなる製造方法がある。
（特許文献１参照）【０００３】  また、別の従来技術としては、成形ポテトスナックの製造方法であって、生の馬鈴薯を剥皮する工程、剥皮した馬鈴薯を所定形状にカットする工程、馬鈴薯カット片の表面に接着力を付する工程、馬鈴薯カット片を互いに接着させて所望の形状を有する成形品を得る工程、得られた成形品を冷凍処理する工程、及び冷凍処理した成形品をフライ処理に付して、成形ポテトスナックを得る工程を含む方法がある。（特許文献２参照）
【特許文献１】特開２００２−７８４６２号公報
【特許文献２】特開２００４−３２９１２３号公報
【発明の開示】
【発明が解決しようとする課題】
【０００４】  上記特許文献１においては、じゃがいもを一旦スライスしたポテトスライスを乾燥したり水に浸したりしているため各工程に時間が掛り、その場で販売することができない。【０００５】  上記特許文献２においては、接着力を付する工程や成形品・冷凍処理等の工程を有し、これもまた、その場で販売できず、量産向きの製造方法である。【０００６】  本発明は、上記のような問題点に鑑みなされたもので、その目的は、じゃがいも（皮付）をポテト投入筒へ投入するのみで、スライス・揚げ・搬送を自動的に行ない、アツアツをその場でお客様に提供できるポテトチップ用自動フライヤーを提供するものである。
【課題を解決するための手段】
【０００７】  本発明は、上記目的を達成するため、フライヤー本体の上部一側面に、ポテト投入筒を設けたスライサーを設け、該スライサーの少なくとも後方に回転羽根用モーターにて回転する回転羽根を設けると共に、上部他側方に押えコンベアーモーターにて回転する押えコンベアーを設け、該押えコンベアーと連設する搬送コンベアーモーターにて回動する搬送コンベアーを設け、上記スライサーの下方にヒーターを設け、該ヒーターの下方に底面を有するオイルパンを設けてなることを特徴とする。
また、スライサーと押えコンベアーの間に、回転羽根を設けてなることを特徴とする。
さらに、押えコンベアーの先端部と搬送コンベアーの後端部を上下方向にて適宜重合してなることを特徴とする。
さらにまた、フライヤー本体の下面に、移動可能な脚部を設けてなることを特徴とする。
そして、油面が、押えコンベアー及び回転羽根の下部に当たる位置になるよう設定してなることを特徴とするものである。
【発明の効果】
【０００８】１）ポテトチップ用自動フライヤーは、スライサーを設けることにより、生じゃがいもをポテト投入筒より投入（同時に複数個）するのみで、所要の厚さ（０．１ｍｍ〜２ｍｍ等自由に設定できる）にカット（スライス）でき、下方（オイルパン内の油）に落下させるもので、丸ごと生じゃがいもを使用でき、生ゴミを出さないものである。
２）回転羽根により、揚げたポテトチップスを前方へ、所要の時間を掛けて送ることができる。
３）押えコンベアーにより、揚げたポテトを再度油の中に入れ、搬送コンベアーへ送り込むことができる。
４）搬送コンベアーにより、出来上がったポテトを受皿等へ搬送することができる。
５）脚部により、所要の場合（テーマパーク・シネマコンプレックス・サービスエリア等にて）に移動することができ、レイアウト等も自由に設定できる。
６）出来上がったポテトチップスは、お客様の好みに合わせて各種フレーバーを添加して、その場で販売できる。
【発明を実施するための最良の形態】
【０００９】  以下、本発明の実施の形態を図面に基づいて説明する。
１は、ポテトチップ用自動フライヤーである。
２は、フライヤー本体で、上部に油を入れるオイルパン２ａを設けると共に、下面に４箇所、キャスター等による脚部２ｃを設けてある。
３は、上記フライヤー本体２の上部一側面（右側）に設けてなるスライサーで、ポテト投入筒３ａの下方にカッター３ｂを設けてなるもので、ポテト投入筒３ａ内に数個の生じゃがいもを入れることができる。
なお、カッター３ｂはモーターＭにて回動するものである。
４は、上記スライサー３の前後に設けてなる回転羽根で、例えば４枚の羽根４ａで構成され、回転羽根用モーター４ｂにて回転するもので、プーリーベルト４ｂ１にて連動してなる。【００１０】  ５は、押えコンベアーで、メッシュ状ベルト５ａをプーリーベルト５ｂを介して押えコンベアーモーター５ｂにて回転させてなる。
６は、上記押えコンベアー５と連設する搬送コンベアーで、上記と同様なメッシュ状ベルト６ａをプーリーベルト６ｂ１を介して搬送コンベアーモーター６ｂにて回転させてなる。
なお、押えコンベアー５の先端部と搬送コンベアー６の後端部を上下方向にて適宜重合してなる。【００１１】  上記オイルパン２ａ内には油を入れるが、油面ａ１は押えコンベアー５及び回転羽根４の下部に当たる位置になるよう設定するのが望ましく、内部に電熱ヒーター２ｄを設けてある。
また、スライサー３・回転羽根４・押えコンベアー５・搬送コンベアー６等の制御は制御盤７にて行なうものである。
さらに、オイルパン２ａの底面をややテーパー状にし、一側端にカスかご２ａ１を設けると共に、排油口２ｂを設けてある。【００１２】  つぎに、ポテトチップ用自動フライヤー１の使用例について述べる。
まず、スライサー３のポテト投入筒３ａの内に、生じゃがいもＺを複数個入れ、カッター３ｂにて所要の厚さにカット（スライス）したポテトチップＰ１を下方に落下させ、電熱ヒーター２ｄにて加熱した油ａ（１４５℃前後が適当）にて揚げる。
つづいて、回転羽根用モーター４ａ・４ａを作動させ回転羽根４ａ・４ａを回転（右回転）させ、ポテトチップＰ１を前方へ移動させる。
その後、押えコンベアーモーター５ｂを作動させ、押えコンベアー５の下面にポテトチップＰ２が入り（油面ａより適宜下方の位置になる）込ませ、そのまま前方へ移動させる。
そして、搬送コンベアーモーター６ｂを作動させ、搬送コンベアー６にて搬送され、所要の容器（図示せず）に受け取る。
受け取ったポテトチップスＰ３・・・は、お客様の好みに合わせてフレーバーを添加してその場で販売することができるものである。【００１３】  なお、上記実施例において、油の温度を１４５℃前後とした時、ポテトチップを揚げる時間は３分〜４分が適当であるが、厚さによって変更するものとする。
また、回転羽根の回転速度や各コンベアーの送り速度もポテトチップの量や厚みによって決めればよい。
さらに、使用済の油はカスかごを通して排油により抜き取り、再度新しい油を入れるものである。
さらにまた、オイルパン内に腐敗防止のセラミックを設けてなるのも一考である。
【図面の簡単な説明】
【００１４】
【図１】  本発明の一実施例を示すポテトチップ用自動フライヤーの正面図。
【図２】  本発明の一実施例を示すポテトチップ用自動フライヤーの平面図。
【図３】  本発明の一実施例を示すポテトチップ用自動フライヤーの側面図。
【図４】  本発明の一実施例を示すポテトチップ用自動フライヤーのスライサーの平面図。
【図５】  本発明の一実施例を示すポテトチップ用自動フライヤーのスライサーの正面図。
【図６】  本発明の一実施例を示すポテトチップ用自動フライヤーの使用状態図。
【符号の説明】
【００１５】  １−−−ポテトチップ用自動フライヤー
２−−−フライヤー本体
２ａ−−オイルパン
２ａ１−カスかご
２ｂ−−脚部
２ｃ−−排油口
３−−−スライサー
３ａ−−ポテト投入筒
３ｂ−−カッター
４−−−回転羽根
４ａ−−羽根
４ｂ−−回転羽根用モーター
４ｂ１−プーリーベルト
５−−−押えコンベアー
５ａ−−メッシュ状ベルト
５ｂ−−押えコンベアーモーター
６−−−搬送コンベアー
６ａ−−メッシュ状ベルト
６ｂ−−搬送コンベアーモーター
６ｂ１−プーリーベルト
７−−−制御盤
ａ−−−油
ａ１−−油面
Ｍ−−−モーター
Ｐ−−−ポテトチップ
Ｚ−−−生じゃがいも
【図１】
2006311996.tif 000003
【図２】
2006311996.tif 000004
【図３】
2006311996.tif 000005
【図４】
2006311996.tif 000006
【図５】
2006311996.tif 000007
【図６】
2006311996.tif 000008